(57)【要約】      （修正有）【課題】可搬型ＯＨＰを活用した要約筆記において、要約筆記に適したＯＨＰ用テーブルを提供する。【解決手段】要約筆記用ＯＨＰテーブル本体１の天板高さは、可搬型ＯＨＰ２をその上に設置した状態で、可搬型ＯＨＰ２の天板高さが約７０センチとなるようなテーブル高さとし、天板は可搬型ＯＨＰ２が滑りにくい構造とし、受動シートロール送り側用ホルダ３を複数本分備え、カットシート置き台を備え、シート回収用バッグを引っ掛けるためのフックを備え、容易に組み立て可能でかつ組み立て時の安定性の高い構造とすることにより、要約筆記用ＯＨＰテーブルを構成する。【選択図】図１
0003147631.tif 000002
【実用新案登録請求の範囲】
【請求項１】
受動的シートロール送り側用ホルダを備えた要約筆記用のオーバーヘッドプロジェクタ用テーブル。
【請求項２】
カットシート置き台を備えた請求項１のテーブル。
【請求項３】
シート回収用バッグを掛けるためのフックを備えた請求項１のテーブル。
【請求項４】
容易に組み立てと分解が可能な構造を備えた請求項１のテーブル。
【請求項５】
乗せたオーバーヘッドプロジェクタが容易に滑りがたい天板を備えた請求項１のテーブル。
【考案の詳細な説明】
【技術分野】
【０００１】
本考案は要約筆記用オーバーヘッドプロジェクタ・テーブルの製造に関する
【背景技術】
【０００２】
手話を使いこなせない難聴者や中途失聴者は、他者から音声の情報を文字に通訳してもらい、必要な情報を得ることが多い。要約筆記はかような目的で、話者等が発声したものを即座に要約して文字に通訳することで行われる。要約筆記対象者が比較的少ない場合は、ノート等、比較的小型で可搬型の器具を使用し、要約筆記対象者が比較的多い場合は、オーバーヘッドプロジェクタ等を使用する。
【０００３】
後者では透明なロールシートをオーバーヘッドプロジェクタの天板上に引き出して広げ、その上でインクペン等を用いて音声を要約したものを要約筆記者（主筆者）がシートに直接筆記する方法で行う。要約筆記者（主筆者）に向き合う別の要約筆記者（引き手）は、記載されたロールシートを記載状況に合わせ断続的に引くことにより、要約筆記者（主筆者）が常に筆記しやすく、かつ要約筆記対象者が読みやすい投影状況とする。
【０００４】
要約筆記で使用するオーバーヘッドプロジェクタは、通常、可搬型のものを使用するため、要約筆記を行うためにはこれを設置するためのテーブルが不可欠である。このテーブルにはオーバーヘッドプロジェクタを設置を可能とする強度のみならず、要約筆記作業をオーバーヘッドプロジェクタ上で行うことが容易な高さや、不安なく要約筆記作業を行うことができるような剛性が必要である。
【特許文献１】特開平１１−２３１４１５号
【考案の開示】
【考案が解決しようとする課題】
【０００５】
従来のオーバーヘッドプロジェクタ（以下ＯＨＰ）用テーブルは、テーブル上のＯＨＰ上で筆記作業を長時間にわたり行うことは想定されてないため、作業者の筆記しやすい高さの確保が難しかった。また通常、ＯＨＰは比較的重いことから、テーブルにおいた状態では全体的な重心が高まり、作業上の不安定さを招きやすかった。また、使用される透明シートは長時間にわたり、連続的に要約筆記を行うためにロール状のものを使用するが、筆記前のロールや筆記後のシート、あるいは筆記作業のために単文を予め筆記されたカットシート等が煩雑になりやすく、改善が望まれていた。
【０００６】
そこでこの考案の目的は、かかる従来の問題を解決するためになされたものであって、可搬型ＯＨＰを活用した要約筆記において、要約筆記に適したＯＨＰ用テーブルの製造法を提供することである。
【課題を解決するための手段】
【０００７】
受動的シートロール送り側用ホルダを備え、剛性が高く、使用される可搬型ＯＨＰを設置したときに、標準的にはＯＨＰ天板高さを７０センチ前後となるような高さのテーブルで構成する。ただし、作業者の体格に応じて高さを変化させても良いものとする。
【０００８】
可搬型ＯＨＰをテーブル上に設置し、ＯＨＰ上で筆記作業をおこなったとき、ＯＨＰがテーブル上を滑りにくく、かつ振れが少なく、安定的に作業を行うことが出来るものとする。また、テーブルの天板の平面寸法は、ＯＨＰ外形に対して同じかやや大きなものが良く、例えばコルク張り等、ＯＨＰが滑りにくい表面材あるいは構造とする。
【０００９】
受動シートロール送り側用ホルダは必要に応じて複数を同時に使用できるものとし、かつ、使用中でも未使用ホルダのロールを容易に取り替え可能なものとする。このとき、ロール固定位置は、ホルダ位置は機能上支障がない限りテーブルの内外を問わない。
【００１０】
テーブルは容易に組み立て及び分解が可能な構造とする。ただし、移動の稀な使用方法に限定すれば、より剛性を高める目的のため、組み立て式でなくとも良いものとする。
【００１１】
脚部はテーブルの安定度を高めるため、天板に対しなるべく外周近くに配し、テーブルを構成する天板及び脚部等は、各端部を面取りする等、安全に配慮するのが良い。また、脚部底面は滑りにくい構造とするのが良い。
【００１２】
カットシート置き台は、乗せたカットシートを容易に読み取ることが可能な配色とし、少なくとも５〜６行が同時に並べて置くことが可能であって、要約筆記が作業を行うのに支障のない材質、形状、および位置で構成する。
【００１３】
カットシート置き台は、要約筆記作業の内容や作業者の好みにより、フレキシブルに位置を変更したり、大きさや数を変更することが出来る構造とするのが良い。
【００１４】
シート回収用バッグを掛けるためのフックは、筆記済みのシートを回収するためのシート回収用バッグを掛けておくのに必要な強度を持ち、かつ安定的にバッグを掛けておくことが可能な位置および数とし、受動シートロール送り側用ホルダの対辺側の天板近くの側面に位置するよう構成する。
【考案の効果】
【００１５】
本考案のテーブルにおいては、テーブル天板上に可搬型ＯＨＰを設置し、透明シートロールを送り側に取り付け、ＯＨＰ上に透明シートを引き出して広げ、要約筆記作業を行うことができる。また、要約筆記作業に適したＯＨＰの高さとなるため、作業者の肉体的負担を減らすことができる。
【００１６】
煩雑になりやすいシートロールの処理、カットシートの取り出し、および筆記済み透明シートの回収等を、スムーズに行うことができる。このため、要約筆記作業における効率を高め、作業におけるトラブルを減少することができる。
【００１７】
テーブルを容易に組み立てることができる。このため、移動を伴う要約筆記作業において、会場へのテーブルの搬入および搬出作業を円滑にすることができる。
【考案を実施するための最良の形態】
【００１８】
以下、図面に基づいて本考案のテーブルを実現する形態を説明する。
【実施例１】
【００１９】
本実用新案登録のテーブルは、図１に示すように、テーブル１、および受動的シートロール送り側用ホルダ３を主要な構成とし、テーブル１の天板上に可搬型ＯＨＰ２を設置して使用する。要約筆記者（主筆者）は、図の右側に左側を向いてイス等に座り、筆記作業を行う。また、別の要約筆記者（引き手）は要約筆記者（主筆者）に相対してイス等に座る。
【００２０】
受動的シートロール送り側用ホルダ３には透明シートロールを複数取り付け、透明シートを引き出してＯＨＰ２上に広げ、要約筆記者（主筆者）はそこへ筆記する。筆記済みのシートは、引き出された透明シート４の如く、別の要約筆記者（引き手）が断続的に引くことにより、要約筆記者（主筆者）は連続的に筆記作業を行うことができる。
【００２１】
可搬型ＯＨＰ２の高さが２０センチの場合、ＯＨＰを設置したときに適切な高さとなるテーブル１の天板高さは約５０センチとし、要約筆記作業者の身体的条件や好み等により、変更しても良い。また、受動的シートロール送り側用ホルダ３は２〜３本のロールを同時に取り付け、および取り外しを容易に行うことが可能な構造とする。
【実施例２】
【００２２】
図２は実施例１にカットシート置き台５を取り付けた例であって、カットシート置き台にカットシートを置くことにより、必要に応じて効率よくカットシートを確認し、選び、取り上げるて使用することができる。
【実施例３】
【００２３】
図３は実施例１にフック７を取り付けた例である。フック７は受動的シートロール送り側用ホルダ３の対辺側の天板近くの側面に位置している。またフック７は、筆記済みのシートを回収するためのシート回収用バッグ６を引っ掛けて使用する。これにより、バッグの開口部が開きやすくなり、かつバッグの位置が固定されるため、筆記済みのシートを効率よく安定的に回収することができる。図２の如きカットシート置き台を取り付けても良い。
【実施例４】
【００２４】
図４および図５は組立式のテーブルとした例であり、天板８、脚９、および脚補強桟１０を主な構成部材とする。各々は容易に取り外すことができ、かつ組み立て時には強固に連結される構造とする。脚補強桟１０には受動シートロール送り側用ホルダ３を兼ねる。シートロールはロール中央部を貫通するロール支持棒１１により支持される。図２の如きカットシート置き台や図３の如きフックを取り付けても良い。
【図面の簡単な説明】
【００２５】
【図１】実施例１に係わるテーブルにＯＨＰを設置し、シートロールを取り付けた側面図である。
【図２】実施例２に係わるテーブルにＯＨＰを設置し、カットシート置き台を取り付けた側面図である。
【図３】実施例３に係わるテーブルにシート回収用バッグを掛けるためのフックを取り付け、ＯＨＰを設置した側面図である。
【図４】実施例４に係わる組立式テーブルＯＨＰを設置した側面図である。
【図５】実施例４に係わる組立式テーブルＯＨＰを設置した正面図である。
【符号の説明】
【００２６】
１  要約筆記用ＯＨＰテーブル本体
２  可搬型ＯＨＰ
３  受動シートロール送り側用ホルダ
４  引き出された透明シート
５  カットシート置き台
６  シート回収用バッグ
７  フック
８  天板
９  脚
１０  脚補強桟
１１  ロール支持棒
【図１】
0003147631.tif 000003
【図２】
0003147631.tif 000004
【図３】
0003147631.tif 000005
【図４】
0003147631.tif 000006
【図５】
0003147631.tif 000007
【手続補正書】
【提出日】平成20年11月4日(2008.11.4)
【手続補正１】
【補正対象書類名】実用新案登録請求の範囲
【補正対象項目名】請求項４
【補正方法】変更
【補正の内容】
【請求項４】
天板及び脚の接続部にホゾもしくはホゾ穴を備え、あるいはネジ止め部等を備える等により、容易に組み立てと分解が可能な構造を備えた請求項１のテーブル。
【手続補正２】
【補正対象書類名】明細書
【補正対象項目名】０００５
【補正方法】変更
【補正の内容】
【０００５】
従来のオーバーヘッドプロジェクタ（以下ＯＨＰ）用テーブルは、テーブル上のＯＨＰの上で筆記作業を長時間にわたり行うことは想定されていないため、作業者の筆記しやすい高さの確保が難しかった。また通常、ＯＨＰは比較的重いことから、テーブル上に設置した状態では全体的な重心が高まり、作業上の不安定さを招きやすかった。また、使用される透明シートは、長時間にわたり連続的に要約筆記を行うためにロール状のものを使用するが、筆記前のロールや筆記後のシート、あるいは筆記作業のために予め短文を筆記されたカットシート等が煩雑になりやすく、改善が望まれていた。
【手続補正３】
【補正対象書類名】明細書
【補正対象項目名】００１０
【補正方法】変更
【補正の内容】
【００１０】
天板及び脚の接続部にホゾもしくはホゾ穴を備え、あるいはネジ止め部等を備える等により、容易に組み立て及び分解が可能な構造とする。ただし、移動の稀な使用方法に限定すれば、より剛性を高め目的のため、組み立てでなくとも良いものとする。
【手続補正４】
【補正対象書類名】明細書
【補正対象項目名】００２２
【補正方法】変更
【補正の内容】
【００２２】
図２は実施例1にカットシート置き台５を取り付けた例であって、カットシート置き台５にカットシートを置くことにより、必要に応じて効率よくカットシートを視認し、選定し、取り上げて使用することができる。
【手続補正５】
【補正対象書類名】明細書
【補正対象項目名】００２４
【補正方法】変更
【補正の内容】
【００２４】
図４および図５は組み立て式のテーブルとした例であり、天板８、脚9、および脚補強桟１０を主な構成部材とする。天板各隅部にはホゾ穴を、接する脚の上部には天板ホゾ穴に嵌め合うホゾを設ける。これらにより各々は容易に取り外すことができ、かつ組み立て時には強固に連結される構造とする。脚補強桟１０は受動シートロール送り側用ホルダ３を兼ねる。シートロールはロール中央部を貫通するロール支持棒１１により支持される。必要に応じて図２の如きカットシート置き台や図３の如きフックを取り付けても良い。